(57)【要約】      （修正有）【課題】炊飯器に付属する水位調節機能を有する炊飯補助具に関し、水位調整時に目盛りを安定に設置して水位を調整することが可能な炊飯器の補助具を提供する。【解決手段】炊飯器内部に保持されて米を炊飯調理する内釜から、炊飯調理済みの米であるご飯を掬う炊飯器の補助具において、前記補助具は、ご飯を掬う部位となる掬い板部１１と、使用者が握る把持部１２を有し、前記掬い板部１１には、前記内釜に水を投入する際の目安となる水位目盛り体１３が設けられ、前記把持部１２には、前記内釜に前記補助具を引っ掛けるフック部１４が形成するように構成すればよい。【選択図】図１
2015217246.tif 000002
【特許請求の範囲】
【請求項１】
炊飯器内部に保持されて米を炊飯調理する内釜から、炊飯調理済みの米であるご飯を掬う炊飯器の補助具において、
前記補助具は、ご飯を掬う部位となる掬い板部と、使用者が握る把持部を有し、
前記掬い板部には、前記内釜に水を投入する際の目安となる水位目盛り体が設けられ、
前記把持部には、前記内釜に前記補助具を引っ掛けるフック部が形成されたことを特徴とする炊飯器の補助具。
【請求項２】
前記フック部は前記把持部の端側に位置し、背面に向かって突出して形成され、端を平らに構成することで、自立可能に構成されたことを特徴とする炊飯器の補助具。
【発明の詳細な説明】
【技術分野】
【０００１】
本発明は、炊飯器に付属する炊飯補助具に関する。
【背景技術】
【０００２】
従来から、炊飯器に付属する炊飯補助具である内釜内部から炊き上がったご飯を掬うしゃもじにおいて、ご飯が載る掬い板部に凸状の水位線や点字部を形成した水位表示部を有するものがある。
このようなしゃもじは、米を入れた内釜の内底面にしゃもじを垂直に立てて、内鍋に水を入れたときの水位が米の量に見合う適正水量に一致するように、水位表示を利用して水加減を行うことができる（例えば、特許文献１参照）。
【先行技術文献】
【特許文献】
【０００３】
【特許文献１】特開２００１−９５６８９号公報（図７）
【発明の概要】
【発明が解決しようとする課題】
【０００４】
しかしながら、従来の構成では、水位を計測する際に、片方の手でしゃもじを立てた状態を保つ必要があり、人によって水位の計測にバラつきが出てしまうという課題がある。
【０００５】
本発明は、上記のような課題を解決する為になされたもので、水位を計測する補助具として用いるしゃもじにおいて、水位計測中に人が保持することなく、正しく水位を計測することが可能な炊飯器の補助具を提供することを目的とする。
【課題を解決するための手段】
【０００６】
上記の課題を解決するためには、炊飯器内部に保持されて米を炊飯調理する内釜から、炊飯調理済みの米であるご飯を掬う炊飯器の補助具において、補助具は、ご飯を掬う部位となる掬い板部と、使用者が握る把持部を有し、掬い板部には、内釜に水を投入する際の目安となる水位目盛り体が設けられ、把持部には、前記内釜に前記補助具を引っ掛けるフック部が形成するように構成すればよい。
【発明の効果】
【０００７】
本発明によれば、内鍋内にためる水位を計測する際に、使用者が自ら保持することなく水位計測に用いることができる炊飯器の補助具を得ることができる。
【図面の簡単な説明】
【０００８】
【図１】しゃもじ１０を前面側から見た斜視図
【図２】しゃもじ１０を背面側から見た斜視図
【図３】しゃもじ１０のフック部１４の拡大図１
【図４】しゃもじ１０のフック部１４の拡大図２
【図５】しゃもじ１０が内釜３０の内部に設置された状態の斜視図
【図６】しゃもじ１０が内釜３０の内部に設置された状態の断面図
【図７】しゃもじ１０が内釜３０の内部に設置された状態におけるフック部１４の拡大断面図
【図８】しゃもじ１０が内釜３０の内部に設置された状態の断面模式図
【発明を実施するための形態】
【０００９】
以下、図１〜図８を参照して、実施の形態を説明する。
図１は、しゃもじ１０を前面側から見た斜視図を示す。図２は、しゃもじ１０を背面側から見た斜視図を示す。図３は  しゃもじ１０のフック部１４の拡大図１を示す。図４は、しゃもじ１０のフック部１４の拡大図２を示す。  図５は、しゃもじ１０が内釜３０の内部に設置された状態の斜視図を示す。図６は、しゃもじ１０が内釜３０の内部に設置された状態の断面図を示す。図７は、しゃもじ１０が内釜３０の内部に設置された状態におけるフック部１４の拡大断面図１を示す。  図８は、しゃもじ１０が内釜３０の内部に設置された状態におけるフック部１４の拡大断面図２を示す。  図９は、しゃもじ１０が内釜３０の内部に設置された状態の断面模式図を示す。
【００１０】
図１〜図４を参照すると、炊飯器（図示せず）の補助具であるしゃもじ１０は、炊飯器内部に保持された内釜３０から、炊飯調理済みの米であるご飯を掬う部位となる掬い板部１１と、使用者が握る把持部１２と、把持部１２に設けられて炊飯準備時の内釜３０内の水位を測る基準となる水位目盛り体１３と、しゃもじ１０を内釜３０の開口縁３１に引っ掛ける部位となるフック部１４を有する。
【００１１】
掬い板部１１は、周縁から内側に向けて凹む凹形状とるすことで、ご飯を載せる掬い面１１ａが形成されている。この掬い面１１ａには、水位目盛り体１３が設けられている。この水位目盛り体１３は、しゃもじの長手方向に対して直交する線状の目盛り１３ａと、この目盛り１３ａに対応して設けられる水位表示１３ｂからなる。
水量表示１３ｂは、対応する目盛り１３ａが炊飯する米の量（合数）に対応する水の量を計測するとの目安となる表示であり、先端側から後端につれて数値が増えるように記されている。
【００１２】
つまり、しゃもじ１０の先端に近い目盛り１３ａから、１合の米を炊く時の水位位置、２合の米を炊く時の水位位置、３合の米を炊く時の水位位置、４合の米を炊く時の水位位置、５合の米を炊く時の水位位置を示している。このように水量表示１３ｂは、内釜３０に貯める水の量を示す。
【００１３】
次に、把持部１２は、掬い板部１１から一体に伸びて形成され、使用者が握ることが可能なように幅と厚さが規定された棒状の部位である。そして、把持部１２の端側の背面には、フック部１４が形成されている。
フック部１４は、把持部１２から背面方向に突出している。また、把持部１２の端部１２ａは、フック部１４の端側の面と共に平面に構成することで、しゃもじ１０の先端を上方に向けて、自立可能に構成されている。
【００１４】
以上のように各部を構成したしゃもじ１０は、次のように用いて炊飯を準備する際に内釜３０に貯める水位を計測する。
図５〜図８を参照すると、まず、しゃもじ１０の先端を内釜３０の底部３３に接した状態で、把持部１２の背面を開口縁３１に持たれかけさせて、しゃもじ１０を内釜３０の内部に設置する。
【００１５】
この状態においてフック部１４は、開口縁３１の周囲に形成されたフランジ３２より外側に位置しており、フランジ３２の外周端３２ａに引っかかった状態となる。つまり、フック部１４が外周端３２ａに引っかかることにより、しゃもじ１０が内釜３０の内部に滑り落ちることなく、斜めの状態で内釜３０の内部に保持される。
また、水位目盛り体１３は、フック部１４が形成されている位置とは反対側となる前面側に形成されていることから、しゃもじ１０が内釜３０内部に設置された状態において上方を向いており、使用者が水を投入しながら確認可能となっている。
【００１６】
次に、しゃもじ１０が設置された内釜３０の内部に、炊飯調理を行う米を投入すると共に、米の量に対応する水を投入する。このとき、投入する水の量は、しゃもじ１０に示されている水位目盛り体１３を目安に調整を行う。
例えば、３合の米を炊飯する場合、まず、３合の米を内釜３０の内部に投入した後、水位目盛り体１３の３合の水位表示１３ｂが対応している水位目盛り１３ａの線に水面が重なるように水を投入する。尚、米を先に内釜３０に投入した後、しゃもじ１０を内釜に設置してもよい。
【００１７】
以上のようにしゃもじ１０を構成することで、内釜３０に投入する水の量を計測する際に、しゃもじ１０は自らの構造で内釜３０内部に保持されるので、水位計測中に人が保持することなく、正しく水位を計測することが可能である。
特に、しゃもじ１０は、斜めの状態で水位目盛り体１３を上方に向けて、内釜３０内部に保持されるので、水位を計測する際に使用者からの確認性が良い。また、目盛は凸凹の形状からなる為、視覚障がい者の方が計測する際にも確認できるものとなっている。
【符号の説明】
【００１８】
１０  しゃもじ、１１  掬い板部、１２  把持部、１３  水位目盛り体、１３ａ  水位目盛り、１３ｂ  水位表示、１４  フック部、３０  内釜、３１  開口縁、３２  フランジ、３２ａ  フランジの外周端。
【図１】
2015217246.tif 000003
【図２】
2015217246.tif 000004
【図３】
2015217246.tif 000005
【図４】
2015217246.tif 000006
【図５】
2015217246.tif 000007
【図６】
2015217246.tif 000008
【図７】
2015217246.tif 000009
【図８】
2015217246.tif 000010